(57)【特許請求の範囲】
【請求項１】
太陽光を受けて発電するソーラーパネルと、前記ソーラーパネルにより発電された電力を充電する蓄電池と、前記蓄電池の充電量を検知する充電量検知手段と、自動販売機の商品展示部の見本商品を照らす照明手段と、前記照明手段への電力供給を前記蓄電池の電力を交流に変換することなく供給するための電圧変換手段と、前記照明手段への電力供給元を商用電源にするか前記蓄電池にするかを切換える供給電力切換え手段と、明るさを検知する照度検知手段と、前記照度検知手段から検知された明るさに応じて前記蓄電池に充電される充電量を予測した予測充電量記憶手段と、前記蓄電池の交換時期であることを警告する蓄電池交換警告手段を備え、前記充電量検知手段により検知された充電量が前記予測充電量記憶手段に記憶された充電量未満であれば、前記蓄電池の交換時期であることを警告することを特徴とする自動販売機。
【請求項２】
充電量に応じて前記照明手段の点灯する数量を記憶した照明数記憶手段を備え、前記蓄電池交換警告手段により蓄電池が交換時期である警告が出ている場合には、前記照明数記憶手段に記憶された数量の前記照明手段を点灯させることを特徴とする請求項１に記載の自動販売機。
【請求項３】
太陽光を受けて発電するソーラーパネルと、前記ソーラーパネルにより発電された電力を充電する蓄電池と、前記蓄電池の充電量を検知する充電量検知手段と、自動販売機の商品展示部の見本商品を照らす照明手段と、前記照明手段への電力供給を前記蓄電池の電力を交流に変換することなく供給するための電圧変換手段と、前記照明手段への電力供給元を商用電源にするか前記蓄電池にするかを切換える供給電力切換え手段と、前記照明手段への電力供給を前記蓄電池から前記電圧変換手段を介して供給するか前記蓄電池から直接供給するかを切換える蓄電池供給切換え手段を備え、前記充電量検知手段により検知された充電量に応じて前記蓄電池からの供給手段を切換えることを特徴とする自動販売機。
【請求項４】
前記照明手段の電流制限切換え手段を備え、前記充電量検知手段により検知された充電量により、前記蓄電池からの直接供給へ切換えられた場合に充電量に応じて電流制限回路を介さずに前記照明手段を点灯させることを特徴とする請求項３に記載の自動販売機。
【発明の詳細な説明】
【技術分野】
【０００１】
本発明は、太陽電池にて照明用電力を賄う自動販売機に関するものである。
【背景技術】
【０００２】
近年、自動販売機は商品のイメージをよくするために、明るさやきれいさを求めて、ディスプレイにおける照明に多大な電力を消費している。また、自動販売機自体も年々大型化・多セレクション化が進み、自動販売機にて使用する電力が増大する。しかしながら、一方で、環境問題等により省エネルギー化が叫ばれており、使用電力を抑えた省エネルギー自動販売機が求められている。
【０００３】
そして、上述したような要求を満たすため、例えば、特許第３０２５７０８号公報に開示されているように、自動販売機に、光を電力に変換する太陽電池と、太陽電池にて発生した電力を充電する蓄電池とを備え、蓄電池に充電された電力により自動販売機の照明装置で使用する電力の一部を賄うことにより省エネルギーを図った自動販売機がある。
【先行技術文献】
【特許文献】
【０００４】
【特許文献１】特許第３０２５７０８号公報
【発明の概要】
【発明が解決しようとする課題】
【０００５】
しかしながら、前記従来の自動販売機では、蓄電池に充電された電力を交流電源に変換して照明装置へ電力を供給するため変換ロスが発生し消費電力量が大きくなる場合もしくは蓄電池の充電量が少ない場合、すぐに蓄電池の電力を使いきってしまうという課題を有していた。
【０００６】
本発明は、上記従来の課題を解決するもので、蓄電池の充電量を検知する充電量検知手段と、照明装置への電力供給を蓄電池の電力を交流に変換することなく供給するための電圧変換手段と、照明装置への電力供給元を商用電源にするか蓄電池にするかを切換える供給電力切換え手段を備えた自動販売機で、照明装置への電力供給元が蓄電池の場合に蓄電池の電力を交流に変換することなく電圧変換手段により直流のまま供給することや蓄電池の交換時期を知らせることで、蓄電池で照明手段を点灯させる時間を長くし、省エネルギー効果を低下させることなく、集客効果を高めることのできる自動販売機を提供することを目的とする。
【課題を解決するための手段】
【０００７】
前記従来の課題を解決するために、本発明の自動販売機は、太陽光を受けて発電するソーラーパネルと、ソーラーパネルにより発電された電力を充電する蓄電池と、蓄電池の充電量を検知する充電量検知手段と、自動販売機の商品展示部の見本商品を照らす照明手段と、照明手段への電力供給を蓄電池の電力を交流に変換することなく供給するための電圧変換手段と、照明手段への電力供給元を商用電源にするか蓄電池にするかを切換える供給電力切換え手段と、明るさを検知する照度検知手段と、照度検知手段から検知された明るさに応じて蓄電池に充電される充電量を予測した予測充電量記憶手段と、蓄電池の交換時期であることを警告する蓄電池交換警告手段を備え、充電量検知手段により検知された充電量が予測充電量記憶手段に記憶された充電量未満であれば、蓄電池の交換時期であることを警告するものである。これにより、充電量検知手段を基に、供給電力切換え手段にて照明手段への電力供給源を蓄電池に切換えた場合に蓄電池の電力を交流に変換することなく電圧変換手段により直流のまま供給することができるので、蓄電池で照明手段を点灯させる時間を長くし、省エネルギー効果を低下させることなく、集客効果を高めることができる。また、蓄電池の充電切れによる照明手段が切れることを警告することで未然に照明切れを防止することができる。
【０００８】
また、別の本発明の自動販売機は、太陽光を受けて発電するソーラーパネルと、ソーラーパネルにより発電された電力を充電する蓄電池と、蓄電池の充電量を検知する充電量検知手段と、自動販売機の商品展示部の見本商品を照らす照明手段と、照明手段への電力供給を蓄電池の電力を交流に変換することなく供給するための電圧変換手段と、照明手段への電力供給元を商用電源にするか蓄電池にするかを切換える供給電力切換え手段と、照明手段への電力供給を蓄電池から電圧変換手段を介して供給するか蓄電池から直接供給するかを切換える蓄電池供給切換え手段を備え、充電量検知手段により検知された充電量に応じて蓄電池からの供給手段を切換えるものである。これにより、充電量検知手段を基に、供給電力切換え手段にて照明手段への電力供給源を蓄電池に切換えた場合に蓄電池の電力を交流に変換することなく電圧変換手段により直流のまま供給することができるので、蓄電池で照明手段を点灯させる時間を長くし、省エネルギー効果を低下させることなく、集客効果を高めることができる。また、充電量に応じて蓄電池からの供給手段を切換えるので、ロスを低減でき蓄電池で照明手段を点灯させる機会が増え、省エネルギー効果を更に高めることができる。
【発明の効果】
【０００９】
本発明の自動販売機は、充電量検知手段を基に、供給電力切換え手段にて照明手段への電力供給源を蓄電池に切換えた場合に蓄電池の電力を交流に変換することなく電圧変換手段により直流のまま供給することができるので、蓄電池で照明手段を点灯させる時間を長くし、省エネルギー効果を低下させることなく、集客効果を高めることができる。また、
蓄電池の充電切れによる照明手段が切れることを警告することで未然に照明切れを防止することができる。また、充電量に応じて蓄電池からの供給手段を切換えるので、ロスを低減でき蓄電池で照明手段を点灯させる機会が増え、省エネルギー効果を更に高めることができる。
【図面の簡単な説明】
【００１０】
【図１】本発明の実施の形態を示す自動販売機の正面図
【図２】本発明の実施の形態１による自動販売機の制御装置の機能ブロック図
【図３】同実施の形態の自動販売機の制御装置の動作を示すフローチャート
【図４】本発明の実施の形態２における自動販売機の機能ブロック図
【図５】同実施の形態の動作を示すフローチャート
【図６】本発明の実施の形態３における自動販売機の機能ブロック図
【図７】同実施の形態の動作を示すフローチャート
【図８】本発明の実施の形態４における自動販売機の機能ブロック図
【図９】同実施の形態の動作を示すフローチャート
【図１０】本発明の実施の形態５における自動販売機の機能ブロック図
【図１１】同実施の形態の動作を示すフローチャート
【発明を実施するための形態】
【００１１】
請求項１に記載の発明は、太陽光を受けて発電するソーラーパネルと、前記ソーラーパネルにより発電された電力を充電する蓄電池と、前記蓄電池の充電量を検知する充電量検知手段と、自動販売機の商品展示部の見本商品を照らす照明手段と、前記照明手段への電力供給を前記蓄電池の電力を交流に変換することなく供給するための電圧変換手段と、前記照明手段への電力供給元を商用電源にするか前記蓄電池にするかを切換える供給電力切換え手段を備えたものであり、充電量検知手段を基に、供給電力切換え手段にて、照明手段への電力供給源を蓄電池に切換えた場合に蓄電池の電力を交流に変換することなく電圧変換手段により直流のまま供給することで、蓄電池で照明手段を点灯させる時間を長くし、省エネルギー効果を低下させることなく、集客効果を高めることができる。
【００１２】
また、さらに、明るさを検知する照度検知手段と、前記照度検知手段から検知された明るさに応じて前記蓄電池に充電される充電量を予測した予測充電量記憶手段と、前記蓄電池の交換時期であることを警告する蓄電池交換警告手段を備え、前記充電量検知手段により検知された充電量が前記予測充電量記憶手段に記憶された充電量未満であれば、前記蓄電池の交換時期であることを警告するものであり、蓄電池の充電切れによる照明手段が切れることを警告することで未然に照明切れを防止することができる。
【００１３】
請求項２に記載の発明は、請求項１に記載の発明において、充電量に応じて前記照明手段の点灯する数量を記憶した照明数記憶手段を備え、前記蓄電池交換警告手段により蓄電池が交換時期である警告が出ている場合には、前記照明数記憶手段に記憶された数量の前記照明手段を点灯させるものであり、蓄電池で照明手段を点灯させる機会が増え、省エネルギー効果を更に高めることができる。
【００１４】
請求項３に記載の発明は、太陽光を受けて発電するソーラーパネルと、ソーラーパネルにより発電された電力を充電する蓄電池と、蓄電池の充電量を検知する充電量検知手段と、自動販売機の商品展示部の見本商品を照らす照明手段と、照明手段への電力供給を蓄電池の電力を交流に変換することなく供給するための電圧変換手段と、照明手段への電力供給元を商用電源にするか蓄電池にするかを切換える供給電力切換え手段と、照明手段への電力供給を蓄電池から電圧変換手段を介して供給するか蓄電池から直接供給するかを切換える蓄電池供給切換え手段と、前記照明手段への電力供給を前記蓄電池から前記電圧変換手段を介して供給するか前記蓄電池から直接供給するかを切換える蓄電池供給切換え手段を備え、前記充電量検知手段により検知された充電量に応じて前記蓄電池からの供給手段を切換えるものである。これにより、充電量検知手段を基に、供給電力切換え手段にて照明手段への電力供給源を蓄電池に切換えた場合に蓄電池の電力を交流に変換することなく電圧変換手段により直流のまま供給することができるので、蓄電池で照明手段を点灯させる時間を長くし、省エネルギー効果を低下させることなく、集客効果を高めることができる。また、充電量に応じて蓄電池からの供給手段を切換えるので、ロスを低減でき蓄電池で照明手段を点灯させる機会が増え、省エネルギー効果を更に高めることができる。
【００１５】
請求項４に記載の発明は、請求項３に記載の発明において、前記照明手段の電流制限切換え手段を備え、前記充電量検知手段により検知された充電量により、前記蓄電池からの直接供給へ切換えられた場合に充電量に応じて電流制限回路を介さずに前記照明手段を点灯させるものであり、ロスを低減でき蓄電池で照明手段を点灯させる機会が増え、省エネルギー効果を更に高めることができる。
【００１６】
以下、本発明の実施の形態について、図面を参照しながら説明する。なお、この実施の形態によってこの発明が限定されるものではない。
【００１７】
（実施の形態１）
図１は本発明の実施の形態１を示す自動販売機の正面図である。図２は、本実施の形態１における自動販売機の制御装置の機能ブロック図である。図３は、同実施の形態の自動販売機の制御装置の動作を示すフローチャートである。
【００１８】
図１、図２において、ソーラーパネル１は自動販売機本体２の天面に位置させた状態で保持され、太陽光を受けて発電する。発電効率を高めるため、ソーラーパネル１（自動販売機２の前面側）は南向きに配置することが望ましい。自動販売機２の上部に販売商品を表示する商品展示部４が配置され、商品展示部４の背面には、各々の見本商品を個々に照明する照明手段５が配置されている。
【００１９】
照明手段５は、例えば、発光ダイオード（ＬＥＤ）などで、単色または、複数色を発光可能とするものが用いられ、同一色の照明手段５が配列されたり、異なる色の発光色の照明手段５が交互に配列されたり、複数色を発光可能とする照明手段５が配列され、連続点灯、点滅、順次点灯、順不同に点灯させるランダム点灯、発光色を順次変更点灯、発光色のランダム点灯などの点灯制御（イルミネーション制御）ができる。
【００２０】
商品展示部４に配置された見本商品は、背面側、或いは、上側、或いは、下側からの照明光に対して透光性をしている。商品展示部４の各々の見本商品の下部には、商品選択手段６が配置されている。
【００２１】
商品展示部４の下方には商品のイメージ広告などを掲示する広告パネル室７、金銭投入口８、釣銭返却口９、金額表示手段１０、商品取出し口１１が備えられている。ソーラーパネル１により発電された電力は、蓄電池３に充電される。蓄電池３に充電された電力量は、充電量検知手段１２にて、検知できる。
【００２２】
照明用ＤＣ電源１４は、商用電源を直流化し、照明手段５に電力を供給するものである。電圧変換手段１３は、照明手段５への電力供給を蓄電池３の電力を交流に変換することなく供給するものである。供給電力切換え手段１６は、蓄電池３、或いは、照明用ＤＣ電源１４のいずれかの電力を、照明手段５に供給するものである。制御装置１７ａは、照明手段５、商品選択手段６、金額表示手段１０、充電量検知手段１２、電圧変換手段１３、供給電力切換え手段１６と接続されている。
【００２３】
以上のように構成された自動販売機の制御装置について、以下、図３を用いて動作を説明する。
【００２４】
待機状態において、制御装置１７ａは、照明手段５を点灯するかどうか判断する（ＳＴＥＰ１）。ＳＴＥＰ１にて、昼間で周囲が明るいとか、タイマー機能により照明手段の消灯時間帯のために、照明手段５を消灯する条件の場合は、照明手段５を消灯する（ＳＴＥＰ２）。ＳＴＥＰ１で、照明手段５を点灯する条件の場合、ＳＴＥＰ３に進み、ソーラーパネル１にて発電された電力を充電した蓄電池３の充電量を、充電量検知手段１２にて判断する。
【００２５】
充電量検知手段１２にて、蓄電池３の充電量が所定値以上と判断した時は、供給電力切換え手段１６を制御し、蓄電池３の電力を、電圧変換手段１３で出力電圧を定電圧に保持させて照明手段５へ供給し、照明手段を点灯する（ＳＴＥＰ５）。ＳＴＥＰ３で、充電量検知手段１２にて、蓄電池３の充電量が所定値未満と判断した時は、供給電力切換え手段１６を制御し、商用電源を直流化した照明用ＤＣ電源１４の電力を、照明手段５へ供給し、照明手段を点灯する（ＳＴＥＰ４）。
【００２６】
以上のように本実施の形態の自動販売機の制御装置によれば、太陽光を受けて発電するソーラーパネル１と、ソーラーパネル１により発電された電力を充電する蓄電池３と、蓄電池３の充電量を検知する充電量検知手段１２と、自動販売機２の商品展示部４の見本商品を照らす照明手段５と、照明手段への電力供給を蓄電池の電力を交流に変換することなく供給するための電圧変換手段と、照明手段５への電力供給元を照明用ＤＣ電源１４にするか蓄電池３にするかを切換える供給電力切換え手段１６を備え、充電量検知手段１２を基に、供給電力切換え手段１６にて、照明手段５への電力供給源を蓄電池３に切換えた場合に蓄電池の電力を交流に変換することなく電圧変換手段により直流のまま一定電圧で供給することで、蓄電池で照明手段を点灯させる時間を長くし、省エネルギー効果を低下させることなく、照明手段の明るさを一定に保つことで集客効果を高めることができる。
【００２７】
また、充電量検知手段１２で判定する蓄電池３の充電量の判定値を一定値でなく、照明手段の消費電力量別、或いは、点灯制御方法別に判定値を変更しても構わない。
【００２８】
（実施の形態２）
図４は、本発明の実施の形態２における自動販売機の機能ブロック図である。図５は、同実施の形態の動作を示すフローチャートである。なお、実施の形態１と同一部分については、同一符号を付して詳細な説明を省略する。
【００２９】
図４において、照度検知手段１８は制御装置１７ｂに接続し明るさを検知するためのもので、予測充電量記憶手段１９は制御装置１７ｂに接続し照度検知手段１８から検知された明るさに応じて蓄電池３に充電される充電量の予測値を記憶したもので、蓄電池交換警告手段２０は制御装置１７ｂに接続し充電池の交換を促すためのもので、充電量検知手段１２により検知された充電量が予測充電量記憶手段１９に記憶された充電量未満であれば、蓄電池３の交換時期であることを蓄電池交換警告手段２０により警告する。
【００３０】
本実施の形態は、実施の形態１による自動販売機に、さらに、明るさを検知する照度検知手段１８と、照度検知手段１８から検知された明るさに応じて蓄電池３に充電される充電量を予測した予測充電量記憶手段１９と、蓄電池の交換時期であることを警告する蓄電池交換警告手段２０を設けたものである。
【００３１】
以上のように構成された自動販売機の制御装置について、以下、図５を用いて動作を説明する。
【００３２】
待機状態において、制御装置１７ｂは、照明手段５を点灯するかどうか判断する（ＳＴＥＰ１）。ＳＴＥＰ１にて、昼間で周囲が明るいとか、タイマー機能により照明手段の消灯時間帯のために、照明手段５を消灯する条件の場合は、照明手段５を消灯する（ＳＴＥＰ２）。
【００３３】
ＳＴＥＰ１で、照明手段５を点灯する条件の場合、ＳＴＥＰ３に進み、ソーラーパネル１にて発電された電力を充電した蓄電池３の充電量を、充電量検知手段１２にて判断する。充電量検知手段１２にて、蓄電池３の充電量が所定値以上と判断した時は、供給電力切換え手段１６を制御し、蓄電池３の電力を、電圧変換手段１３で出力電圧を定電圧に保持させて照明手段５へ供給し、照明手段を点灯する（ＳＴＥＰ５）。ただし、ＳＴＥＰ６にて充電量が充電量検知手段１２により検知された実測値が予測充電量記憶手段１９に記憶された予測値未満であれば、蓄電池の交換時期であることをリモコン等の表示装置への警告表示やブザーによる警告音などの蓄電池交換警告手段２０により交換時期であることを知らせる（ＳＴＥＰ７）。
【００３４】
ＳＴＥＰ３で、充電量検知手段１２にて、蓄電池３の充電量が所定値未満と判断した時は、供給電力切換え手段１６を制御し、商用電源を直流化した照明用ＤＣ電源１４の電力を、照明手段５へ供給し、照明手段を点灯する（ＳＴＥＰ４）。
【００３５】
以上のように本実施の形態の自動販売機の制御装置によれば、明るさを検知する照度検知手段１８と、照度検知手段１８から検知された明るさに応じて蓄電池３に充電される充電量を予測した予測充電量記憶手段１９と、蓄電池３の交換時期であることを警告する蓄電池交換警告手段２０を備え、充電量検知手段１２により検知された充電量が予測充電量記憶手段１９に記憶された充電量未満であれば、蓄電池３の交換時期であることを警告することにより、蓄電池の充電切れによる照明手段が切れることを防止できる。
【００３６】
（実施の形態３）
図６は、本発明の実施の形態３における自動販売機の機能ブロック図である。図７は、同実施の形態の動作を示すフローチャートである。なお、実施の形態１と同一部分については、同一符号を付して詳細な説明を省略する。
【００３７】
図６において、照明数記憶手段２１は制御装置１７ｃに接続し照明手段５の点灯数を記憶するためのもので、蓄電池交換警告手段２０により蓄電池３が交換時期である警告が出ている場合には、照明数記憶手段２１に記憶された数量の照明手段５を点灯させる。
【００３８】
本実施の形態は、実施の形態２による自動販売機に、さらに、充電量に応じて照明手段５の点灯する数量を記憶した照明数記憶手段２１を設けたものである。
【００３９】
以上のように構成された自動販売機の制御装置について、以下、図７を用いて動作を説明する。
【００４０】
待機状態において、制御装置１７ｃは、照明手段５を点灯するかどうか判断する（ＳＴＥＰ１）。ＳＴＥＰ１にて、昼間で周囲が明るいとか、タイマー機能により照明手段の消灯時間帯のために、照明手段５を消灯する条件の場合は、照明手段５を消灯する（ＳＴＥＰ２）。
【００４１】
ＳＴＥＰ１で、照明手段５を点灯する条件の場合、ＳＴＥＰ３に進み、ソーラーパネル１にて発電された電力を充電した蓄電池３の充電量を、充電量検知手段１２にて判断する。充電量検知手段１２にて、蓄電池３の充電量が所定値以上と判断した時は、供給電力切換え手段１６を制御し、蓄電池３の電力を、電圧変換手段１３で出力電圧を定電圧に保持させて照明手段５へ供給し、照明手段を点灯する（ＳＴＥＰ５）。ただし、ＳＴＥＰ６にて充電量が充電量検知手段１２により検知された実測値が予測充電量記憶手段１９に記憶された予測値未満であれば、蓄電池の交換時期であることをリモコン等の表示装置への警告表示やブザーによる警告音により交換時期であることを知らせ（ＳＴＥＰ７）、ＳＴＥＰ８へ進み充電量検知手段１２により検知された充電量に応じて照明数記憶手段２１に記憶された照明手段５の点灯数をセットする。
【００４２】
ＳＴＥＰ３で、充電量検知手段１２にて、蓄電池３の充電量が所定値未満と判断した時は、供給電力切換え手段１６を制御し、商用電源を直流化した照明用ＤＣ電源１４の電力を、照明手段５へ供給し、照明手段を点灯する（ＳＴＥＰ４）。
【００４３】
以上のように本実施の形態の自動販売機の制御装置によれば、充電量に応じて照明手段の点灯する数量を記憶した照明数記憶手段を備え、蓄電池交換警告手段により蓄電池が交換時期である警告が出ている場合には、照明数記憶手段に記憶された数量の照明手段を点灯させることにより、蓄電池で照明手段を点灯させる機会が増え、省エネルギー効果を更に高めることができる。
【００４４】
（実施の形態４）
図８は、本発明の実施の形態４における自動販売機の機能ブロック図である。図９は、同実施の形態の動作を示すフローチャートである。なお、実施の形態１と同一部分については、同一符号を付して詳細な説明を省略する。
【００４５】
図８において、蓄電池供給切換え手段２２は制御装置１７ｄに接続し照明手段５への電力供給を蓄電池３から電圧変換手段１３を介して供給するか蓄電池３からの直接供給へ切換えるためのもので、充電量検知手段１２により検知された充電量に応じて蓄電池３からの供給手段を切換える。
【００４６】
本実施の形態は、実施の形態１による自動販売機に、さらに、照明手段５への電力供給を蓄電池３から電圧変換手段１３を介して供給するか蓄電池３から直接供給するかを切換える蓄電池供給切換え手段２２を設けたものである。
【００４７】
以上のように構成された自動販売機の制御装置について、以下、図９を用いて動作を説明する。
【００４８】
待機状態において、制御装置１７ｄは、照明手段５を点灯するかどうか判断する（ＳＴＥＰ１）。ＳＴＥＰ１にて、昼間で周囲が明るいとか、タイマー機能により照明手段の消灯時間帯のために、照明手段５を消灯する条件の場合は、照明手段５を消灯する（ＳＴＥＰ２）。
【００４９】
ＳＴＥＰ１で、照明手段５を点灯する条件の場合、ＳＴＥＰ３に進み、ソーラーパネル１にて発電された電力を充電した蓄電池３の充電量を、充電量検知手段１２にて判断する。充電量検知手段１２にて、蓄電池３の充電量が所定値以上と判断した時は、供給電力切換え手段１６を制御し、蓄電池３の電力を照明手段５へ供給する。蓄電池３の充電量がフル充電の場合は、電圧変換手段１３で出力電圧を定電圧に保持させて照明手段５へ供給し、蓄電池３の充電量がフル充電ではなく、照明手段５に蓄電池３より直接供給しても問題ない電圧レベルであった場合には、蓄電池３の電力を照明手段５へ直接供給し（ＳＴＥＰ１０）、照明手段５を点灯する（ＳＴＥＰ５）。
【００５０】
ＳＴＥＰ３で、充電量検知手段１２にて、蓄電池３の充電量が所定値未満と判断した時は、供給電力切換え手段１６を制御し、商用電源を直流化した照明用ＤＣ電源１４の電力を、照明手段５へ供給し、照明手段を点灯する（ＳＴＥＰ４）。
【００５１】
以上のように本実施の形態の自動販売機の制御装置によれば、照明手段５への電力供給を蓄電池３から電圧変換手段１３を介して供給するか蓄電池３から直接供給するかを切換える蓄電池供給切換え手段２２を備え、充電量検知手段１２により検知された充電量に応じて蓄電池３から供給手段を切換えることにより、ロスを低減でき蓄電池３で照明手段５を点灯させる機会が増え、省エネルギー効果を更に高めることができる。
【００５２】
（実施の形態５）
図１０は、本発明の実施の形態５における自動販売機の機能ブロック図である。図１１は、同実施の形態の動作を示すフローチャートである。なお、実施の形態１と同一部分については、同一符号を付して詳細な説明を省略する。
【００５３】
図１０において、電流制限切換え手段２３は制御装置１７ｅに接続し充電量検知手段１２により検知された充電量により、蓄電池３からの直接供給へ切換えられた場合に充電量に応じて電流制限回路を介さずに照明手段５を点灯させる。
【００５４】
本実施の形態は、実施の形態４による自動販売機に、さらに、照明手段５の電流制限切換え手段２３を設けたものである。
【００５５】
以上のように構成された自動販売機の制御装置について、以下、図１１を用いて動作を説明する。
【００５６】
待機状態において、制御装置１７ｅは、照明手段５を点灯するかどうか判断する（ＳＴＥＰ１）。ＳＴＥＰ１にて、昼間で周囲が明るいとか、タイマー機能により照明手段の消灯時間帯のために、照明手段５を消灯する条件の場合は、照明手段５を消灯する（ＳＴＥＰ２）。
【００５７】
ＳＴＥＰ１で、照明手段５を点灯する条件の場合、ＳＴＥＰ３に進み、ソーラーパネル１にて発電された電力を充電した蓄電池３の充電量を、充電量検知手段１２にて判断する。充電量検知手段１２にて、蓄電池３の充電量が所定値以上と判断した時は、供給電力切換え手段１６を制御し、蓄電池３の電力を照明手段５へ供給する。蓄電池３の充電量がフル充電の場合は、電圧変換手段１３で出力電圧を定電圧に保持させて照明手段５へ供給し、蓄電池３の充電量がフル充電ではなく、照明手段５に蓄電池３より直接供給しても問題ない電圧レベルであった場合には、蓄電池３の電力を照明手段５へ直接供給し（ＳＴＥＰ１０）、照明手段５を点灯する（ＳＴＥＰ５）。
【００５８】
さらに、照明手段５に蓄電池３より直接供給しても問題ない電圧レベルであり、蓄電池の電圧が照明手段５の順電圧以下の場合（ＳＴＥＰ１１）には、電流制限切換え手段２３により電流制限回路を介さずに電力を供給し（ＳＴＥＰ１２）、照明手段５を点灯する（ＳＴＥＰ５）。ＳＴＥＰ３で、充電量検知手段１２にて、蓄電池３の充電量が所定値未満と判断した時は、供給電力切換え手段１６を制御し、商用電源を直流化した照明用ＤＣ電源１４の電力を、照明手段５へ供給し、照明手段を点灯する（ＳＴＥＰ４）。
【００５９】
以上のように本実施の形態の自動販売機の制御装置によれば、照明手段５の電流制限切換え手段２３を備え、充電量検知手段１２により検知された充電量により、蓄電池３からの直接供給へ切換えられた場合に充電量に応じて電流制限回路を介さずに照明手段５を点灯させることにより、ロスを低減でき蓄電池３で照明手段５を点灯させる機会が増え、省エネルギー効果を更に高めることができる。
【産業上の利用可能性】
【００６０】
以上のように、本発明にかかる自動販売機は、ソーラーパネルより蓄えた電力を照明手段に直接供給することが可能になり、室外へ設置する商品で直流電圧駆動の負荷を持つ商品にも適用できる。
【符号の説明】
【００６１】
１    ソーラーパネル
３    蓄電池
５    照明手段
６    商品選択手段
１２  充電量検知手段
１３  電圧変換手段
１４  照明用ＤＣ電源
１６  供給電力切換え手段
１７ａ、１７ｂ、１７ｃ、１７ｄ、１７ｅ  制御装置
１８  照度検知手段
１９  予測充電量記憶手段
２０  蓄電池交換警告手段
２１  照明数記憶手段
２２  蓄電池供給切換え手段
２３  電流制限切換え手段
【図１】
0005593889.tif 000002
【図２】
0005593889.tif 000003
【図３】
0005593889.tif 000004
【図４】
0005593889.tif 000005
【図５】
0005593889.tif 000006
【図６】
0005593889.tif 000007
【図７】
0005593889.tif 000008
【図８】
0005593889.tif 000009
【図９】
0005593889.tif 000010
【図１０】
0005593889.tif 000011
【図１１】
0005593889.tif 000012